(57)【要約】【課題】通電を維持するときの総電流を減少させる駆動及び保持タップコイルを備える電磁始動器を提供する。【解決手段】スイッチ装置１０１を通して、駆動タップＴ１及び保持タップＴ２及び共通継手Ｔ０を有する駆動コイル１０２’を備える電磁始動器１０２を制御し、電磁始動効果があり、起動時、スイッチ装置１０１の制御を通して、より低いインピーダンスの駆動タップＴ１及び共通継手Ｔ０を有する駆動コイル１０２’の励磁通電を起動し、電磁始動器１０２により大きい電磁起動力を形成させ、起動後、更にスイッチ装置１０１の制御を通して、相対的により高いインピーダンスの保持タップＴ２及び共通継手Ｔ０を有する駆動コイル１０２’に対して、励磁通電を保持するように切換える。【選択図】図１
2011014388.tif 000002
【特許請求の範囲】
【請求項１】
駆動及び保持タップコイルを備える電磁始動器であって、スイッチ装置の制御を通して、より低いインピーダンスの駆動タップ及び共通継手を有する駆動コイルに対して励磁通電を起動し、前記電磁始動器により大きい電磁起動力を形成させ、起動後、更に前記スイッチ装置の制御を通して、より高いインピーダンスの保持タップ及び共通継手を有する前記駆動コイルに対して励磁通電を保持するように切換え、駆動コイルの総電流を減少させ、前記電磁始動器は依然として通電始動後の必要な作動特性を満足することによって、電気エネルギーが節約され、かつ前記電磁始動器の駆動コイルの熱損害は低減され、
電源装置（１００）、スイッチ装置（１０１）、及び電磁始動器（１０２）を備え、
前記電源装置（１００）は、電源供給関連機能及び電圧電流制御機能の電機或いは電子コンポネント、或いはマイクロプロセッサ及び関連ソフトウェアによって構成されてもよく、直流や交流電気エネルギーを入力し、前記スイッチ装置（１０１）の制御に合わせて、交流電気エネルギー或いは直流電気エネルギー或いは半波または全波または衝撃波の直流電気エネルギーを出力し、
前記スイッチ装置（１０１）は、人力、機械力、流力、電気エネルギーで操作する電気機械スイッチ、リレー、電磁スイッチ、固相スイッチ装置によって構成され、人力、機械力、流力、電気エネルギーの駆動操作を制御することにより、前記駆動タップ（Ｔ１）と前記保持タップ（Ｔ２）と前記共通継手（Ｔ０）とを有する前記駆動コイル（１０２’）を備える前記電磁始動器（１０２）への交流或いは直流電気エネルギーの輸送を制御し、通電或いは断電のスイッチ機能を作動し、或いは前記スイッチ装置（１０１）の制御を通して、相対的により低いインピーダンス状態の前記駆動タップ（Ｔ１）及び前記共通継手（Ｔ０）を有する前記駆動コイル（１０２’）に励磁通電電流（Ｉａ）に通過させ、励磁通電を起動し、また通電起動後、更に前記スイッチ装置（１０１）の制御を通して、相対的により高いインピーダンス状態の前記保持タップ（Ｔ２）及び前記共通継手（Ｔ０）を有する前記駆動コイル（１０２’）に励磁保持電流（Ｉｂ）を通過させ、励磁通電を保持し、駆動コイルの総電流が減少し、その電磁効果の作用力は依然として電磁始動器が通電始動後の必要な作動特性を確保し、
前記電磁始動器（１０２）は、前記駆動タップ（Ｔ１）と前記保持タップ（Ｔ２）と前記共通継手（Ｔ０）とを有し交流或いは直流電気エネルギーが供給される前記駆動コイル（１０２’）を備え、電磁始動効果があり、或いは駆動コイルによって駆動されるか或いは人力や機械力によって制御される多方式操作可能な電磁始動器であって、前記スイッチ装置（１０１）によって、より低いインピーダンスの前記駆動タップ（Ｔ１）及び前記共通継手（Ｔ０）を有する前記駆動コイル（１０２’）に対して、励磁通電を起動し、起動後、更に前記スイッチ装置（１０１）の制御を通して、より高いインピーダンスの前記保持タップ（Ｔ２）及び前記共通継手（Ｔ０）を有する前記駆動コイル（１０２’）に対して、励磁通電を保持するように切換えることを特徴とする電磁始動器。
【請求項２】
前記スイッチ装置によって前記駆動タップ（Ｔ１）と前記保持タップ（Ｔ２）と前記共通継手（Ｔ０）とを有する前記駆動コイル（１０２’）を備える前記電磁始動器（１０２）を制御し、前記駆動コイル（１０２’）を相対的により低いインピーダンス状態から励磁通電を起動し、より高いインピーダンス状態での励磁通電を保持するように切換えるとき、その切換方式は、
人工で前記スイッチ装置（１０１）を順序に操作することによって、前記駆動タップ（Ｔ１）と前記保持タップ（Ｔ２）と前記共通継手（Ｔ０）とを有する前記駆動コイル（１０２’）を備える前記電磁始動器（１０２）を制御し、前記駆動コイル（１０２’）を相対的により低いインピーダンス状態から励磁通電を起動し、より高いインピーダンス状態での励磁通電を保持するように切換えるか、
或いは、前記スイッチ装置（１０１）によって時間遅延機能の制御を操作し、前記駆動タップ（Ｔ１）と前記保持タップ（Ｔ２）と前記共通継手（Ｔ０）とを有する前記駆動コイル（１０２’）を備える前記電磁始動器（１０２）を制御し、前記駆動コイル（１０２’）を相対的により低いインピーダンス状態から励磁通電を起動し、遅延時間を設定することによって、より高いインピーダンス状態での励磁通電を保持するように切換えるか、
或いは、前記駆動タップ（Ｔ１）と前記共通継手（Ｔ０）とを有する前記駆動コイル（１０２’）を備える前記電磁始動器を通過する励磁通電の起動電流値の検査測定を通して、前記駆動タップ（Ｔ１）と前記共通継手（Ｔ０）とを有する前記駆動コイル（１０２’）の励磁通電の起動電流値が設定電流値より大きいか或いは等しいとき、或いは設定電流値より大きいか或いは等しい状態が設定時間を超えたとき、前記スイッチ装置（１０１）が駆動され、前記駆動コイル（１０２’）をより高いインピーダンスの前記保持タップ（Ｔ２）と前記共通継手（Ｔ０）との制御に切換え、励磁通電を保持するか、
或いは、上述の切換方式の中の二種類或いは二種類以上の方式によって前記スイッチ装置（１０１）の駆動を制御することを特徴とする請求項１に記載の電磁始動器。
【請求項３】
前記駆動コイル（１０２’）は、必要に応じて同じ或いは異なる材料の導線によって構成され、または同じ或いは異なる導流断面積の導線によって構成され、または同じ或いは異なる巻き数の巻線によって構成することを選択可能であることを特徴とする請求項１に記載の電磁始動器。
【請求項４】
前記駆動コイル（１０２’）の両端は、それぞれ前記保持タップ（Ｔ２）及び前記共用継手（Ｔ０）であって、また中間タップは前記駆動タップ（Ｔ１）であるか、
或いは、前記駆動コイル（１０２’）の両端は、それぞれ前記保持タップ（Ｔ２）及び前記駆動タップ（Ｔ１）であって、また中間タップは前記共用継手（Ｔ０）であるか、
或いは、前記駆動コイル（１０２’）は個別に個別駆動コイル（１０２１）及び保持コイル（１０２２）によって構成され、その中の前記個別駆動コイル（１０２１）の両端は別々に前記駆動タップ（Ｔ１）及び前記共用継手（Ｔ０）であって、また前記保持コイル（１０２２）の両端は別々に前記保持タップ（Ｔ２）及び前記共通継手（Ｔ０）であって、その通電駆動方式は前記個別駆動コイル（１０２１）及び前記保持コイル（１０２２）の二者が分離して励磁通電を操作することを特徴とする請求項３に記載の電磁始動器。
【請求項５】
前記電磁始動器（１０２）に前記駆動タップ（Ｔ１）と前記保持タップ（Ｔ２）と前記共通継手（Ｔ０）とを有する前記駆動コイル（１０２’）を設置し、前記駆動コイル（１０２’）を相対的により低いインピーダンス状態から励磁通電を起動し、より高いインピーダンス状態での励磁通電を保持するように切換えるとき、その切換方式は、
更に前記電磁始動器（１０２）の移動体と静止体とが相対的に始動後の安定位置或いは始動過程中の選定位置に位置検知装置（１０５）を設置し、前記電磁始動器において、より低いインピーダンス状態から励磁通電を起動し、また移動体が選定位置まで駆動されてから、前記位置検知装置（１０５）によって、前記電磁始動器（１０２）に設置する前記駆動コイル（１０２’）を直接切換え、相対的により低いインピーダンス状態から励磁通電を起動し、より高いインピーダンス状態での励磁通電を保持するように切換えるか、或いは前記位置検知装置（１０５）を通して、前記スイッチ装置（１０１）を制御し、更に前記スイッチ装置（１０１）によって前記駆動コイル（１０２’）を制御し、相対的により低いインピーダンス状態から励磁通電を起動し、より高いインピーダンス状態での励磁通電を保持するように切換え、
前記位置検知装置（１０５）は圧力タッチ式電気機械スイッチ装置、或いは加圧リード起動式スイッチによって構成され、または光学式、電磁感応式、キャパシティブセンサー或いはその他よく使われる位置検知装置によって構成可能であり、必要に応じて設置或いは非設置を選択可能であることを特徴とする請求項１に記載の電磁始動器。
【請求項６】
前記電磁始動器（１０２）に前記駆動コイル（１０２’）を設置し、前記駆動コイル（１０２’）には前記駆動タップ（Ｔ１）と前記保持タップ（Ｔ２）と前記共通継手（Ｔ０）を備え、オンにするときは、前記駆動コイル（１０２’）を相対的により低いインピーダンス状態から励磁通電を起動し、より高いインピーダンス状態での励磁通電を保持するように切換え、
前記電源装置（１００）、前記スイッチ装置（１０１）、充放電キャパシタ（Ｃ１）、及び前記電磁始動器（１０２）を備え、
前記電源装置（１００）は、電源供給関連機能及び電圧電流制御機能の電機或いは電子コンポネント、或いはマイクロプロセッサ及び関連ソフトウェアによって構成されてもよく、直流或いは交流電気エネルギーを入力し、また直流電気エネルギー或いは半波または全波または衝撃波の直流電気エネルギーを出力し、
前記スイッチ装置（１０１）は、人力、機械力、流力、電気エネルギーで操作する電気機械スイッチ、リレー、電磁スイッチ、固相スイッチ装置によって構成され、人力、機械力、流力、電気エネルギーの駆動操作を制御することにより、前記電磁始動器（１０２）に設置する前記駆動タップ（Ｔ１）と前記保持タップ（Ｔ２）と前記共通継手（Ｔ０）とを有する駆動コイル（１０２’）への直流電気エネルギーの輸送を制御し、通電或いは断電のスイッチ機能を作動し、
前記充放電キャパシタ（Ｃ１）は、各種類の充電可能な直流電気エネルギー及び直流電気エネルギーを放電出力するキャパシタによって構成され、同極性電源と前記電磁始動器（１０２）に並列接続してから、前記駆動コイル（１０２’）の前記保持タップ（Ｔ２）と前記駆動タップ（Ｔ１）との間に設置し、前記充放電キャパシタ（Ｃ１）は必要に応じて独立設置、或いは前記電磁始動器（１０２）と共同設置し、或いは前記スイッチ装置（１０１）の内部に設置することを選択可能であり、
前記電磁始動器（１０２）は、直流電気エネルギーが供給される前記駆動コイル（１０２’）を備え、前記駆動コイル（１０２’）は前記駆動タップ（Ｔ１）と前記保持タップ（Ｔ２）と前記共通継手（Ｔ０）を有し、よく使われる常閉型或いは常開型電磁制動器、常閉型或いは常開型電磁クラッチ、常閉型或いは常開型電磁スイッチ、常閉型或いは常開型電磁リレー、常閉型或いは常開型電磁バルブの装置構造が適用されてもよく、或いは、電気磁石、電磁ロック、螺旋コイルまたは、その他電磁始動効果がある駆動コイルを有する電磁始動器であり、また或いは駆動コイルによって駆動されるかまたは人力或いは機械力によって制御される多方式操作可能な電磁始動器であって、前記スイッチ装置（１０１）により、前記電源装置（１００）からの直流電気エネルギーを制御し、前記電磁始動器（１０２）に設置する前記駆動コイル（１０２’）の前記保持タップ（Ｔ２）及び前記共通継手（Ｔ０）へ送電し、送電する瞬間に、直流電気エネルギーが前記保持タップ（Ｔ２）及び前記駆動タップ（Ｔ１）に並列接続する前記充放電キャパシタ（Ｃ１）に対してバイパス分流の瞬間充電を行い、また前記共通継手（Ｔ０）及び前記駆動タップ（Ｔ１）に流れる瞬間電流を最大値にし、励磁を起動し、前記充放電キャパシタ（Ｃ１）の充電電圧が上昇し、徐々に前記保持タップ（Ｔ２）と前記駆動タップ（Ｔ１）と間の電圧降下が接近またバランスになったとき、直流電気エネルギーが前記保持タップ（Ｔ２）と前記駆動タップ（Ｔ１）と前記共通継手（Ｔ０）とに流れるように転換し、このときの前記駆動コイル（１０２’）はより高いインピーダンス状態でより小電流の励磁通電を保持するように転換し、前記スイッチ装置（１０１）が断電したとき、前記充放電キャパシタ（Ｃ１）の電気エネルギーが前記保持タップ（Ｔ２）及び前記駆動タップ（Ｔ１）に対して励磁、放電し、前記電磁始動器（１０２）のリセット時間を遅延させることを特徴とする請求項１に記載の電磁始動器。
【請求項７】
規格によって、交流或いは直流の突入電流吸收装置の設置を選択することが可能であって、前記駆動コイル（１０２’）に別々に並列接続することによって、前記スイッチ装置（１０１）において、前記駆動コイル（１０２’）を開閉させ、或いは相対的により低いインピーダンスの並列または直並列接続、或いは相対的により高いインピーダンスの直列または直並列接続に切換えるとき、前記駆動コイル（１０２’）に形成するインダクタの逆起電力の吸収に協力し、
前記突入電流吸収装置の構成は、
前記駆動コイル（１０２’）の電気エネルギーが交流電気エネルギーであるとき、設置する交流突入電流吸収装置（１０３）は、例えば双極性固相バリスタによって構成され、或いはインピーダー、インダクタ、双極性コンデンサの中の少なくとも二種類のコンポネントを直列、並列、直並列に接続することによって構成され、或いは単独に双極性コンデンサによって構成され、或いはその他よく使われる交流突入電流吸収回路装置によって構成され、
前記 駆動コイル（１０２’）の電気エネルギーがより低い電圧の直流電気エネルギーであるとき、直流突入電流吸収装置（１１３）を配置し、例えば逆極性並列接続するダイオードによって、エネルギー貯蔵効果のフリーホイールダイオードを構成し、或いはインピーダー、インダクタ、単極性或いは双極性コンデンサの中の少なくとも二種類のコンポネントを直列、並列、直並列に接続することによって構成し、或いは単独に単極性或いは双極性コンデンサによって構成され、或いは固相バリスタによって構成され、或いはその他よく使われる直流突入電流吸収回路装置によって構成され、
これらの装置は必要に応じて設置或いは非設置選択が可能であることを特徴とする請求項１に記載の電磁始動器。
【請求項８】
前記駆動タップと前記保持タップと前記共通継手とを有する前記駆動コイルを備える電磁始動器であって、常閉型或いは常開型電磁制動器、常閉型或いは常開型電磁クラッチ、常閉型或いは常開型電磁スイッチ、常閉型或いは常開型電磁リレー、常閉型或いは常開型電磁バルブが適用されてもよく、或いは、電気磁石、電磁ロック、螺旋コイルまたはその他電磁始動効果がある駆動コイル有する電磁始動器であって、また或いは駆動コイルによって駆動されるかまたは人力或いは機械力によって制御される多方式操作可能であることを特徴とする請求項１に記載の電磁始動器。
【発明の詳細な説明】
【技術分野】
【０００１】
本発明は駆動タップと保持タップと共通継手とを有する駆動コイルを備える電磁始動器に関し、特にスイッチ装置の制御を通して、より低いインピーダンスの駆動タップ及び共通継手を有する駆動コイルに対して、励磁通電を起動し、電磁始動器起動後、更にスイッチ装置の制御を通して、より高いインピーダンスの保持タップ及び共通継手を有する駆動コイルに対して励磁通電を保持するように切換え、駆動コイルの総電流を減少させ、電磁始動器は依然として通電始動後の必要な作動特性を満足することによって、電気エネルギーが節約され、かつ電磁始動器の駆動コイルの熱損害を低減する電磁始動器に関する。
【背景技術】
【０００２】
従来は電流を駆動コイルに通過させ、電磁始動効果を生じることによって電磁始動器を駆動し、もし通電起動及び通電始動状態が維持されるとき、コイル通電状態を変えないと、必要な起動励磁電流は通電始動電流の維持と同じで、その欠点は熱損害が大きく、電気エネルギーを浪費することである。
【発明の概要】
【発明が解決しようとする課題】
【０００３】
本発明の目的は通電維持型の電磁始動器を改善し、例えば電磁クラッチ、電磁制動器、電磁力駆動のリレー、電磁スイッチ、電磁バルブ等の通電を維持するときの総電流を減少させることである。
【課題を解決するための手段】
【０００４】
上記目的を達成するため、本発明に係る電磁始動器は、スイッチ装置を通して、駆動タップ及び保持タップ及び共通継手を有する駆動コイルを備える電磁始動器を制御し、常閉型或いは常開型電磁制動器、常閉型或いは常開型電磁クラッチ、常閉型或いは常開型電磁スイッチ、常閉型或いは常開型電磁リレー、常閉型或いは常開型電磁バルブ等が適用されてもよく、また、電気磁石、電磁ロック、螺旋コイル或いはその他電磁始動効果がある駆動コイルを有する電磁始動器であって、また或いは、駆動コイルによって駆動されるかまたは人力或いは機械力によって制御される多方式操作可能な電磁始動器であって、起動時、スイッチ装置の制御を通して、より低いインピーダンスの駆動タップ及び共通継手を有する駆動コイルの励磁通電を起動し、電磁始動器により大きい電磁起動力を形成させ、起動後、更にスイッチ装置の制御を通して、相対的により高いインピーダンスの保持タップ及び共通継手を有する駆動コイルに対して、励磁通電を保持するように切換え、駆動コイルの総電流を減少させ、電磁始動器は依然として通電始動後必要な作動特性を満足することによって、電気エネルギーが節約され、かつ電磁始動器の駆動コイルの熱損害を低減する。
【図面の簡単な説明】
【０００５】
【図１】本発明の第１実施形態による電磁始動器を示す回路ブロック図である。
【図２】本発明の第１実施形態による電磁始動器において、駆動タップ及び共通継手を有する駆動コイルに対して励磁通電起動する回路を示す模式図である。
【図３】本発明の第１実施形態による電磁始動器において、保持タップ及び共通継手を有する駆動コイルに対して励磁通電起動する回路を示す模式図である。
【図４】本発明の第１実施形態による電磁始動器において、駆動コイルの一つの構成を示す模式図である。
【図５】本発明の第１実施形態による電磁始動器において、駆動コイルの他の構成を示す模式図である。
【図６】本発明の第１実施形態による電磁始動器において、駆動コイルのさらに他の構成を示す模式図である。
【図７】本発明の第２実施形態による電磁始動器を示す回路ブロック図である。
【図８】本発明の第３実施形態による電磁始動器を示す回路ブロック図である。
【発明を実施するための形態】
【０００６】
（第１実施形態）
本発明の第１実施形態による電磁始動器は、一種のスイッチ装置を通して、駆動タップと保持タップと共通継手とを有する駆動コイルを備える電磁始動器を制御し、例えば常閉型或いは常開型電磁制動器、常閉型或いは常開型電磁クラッチ、常閉型或いは常開型電磁スイッチ、常閉型或いは常開型電磁リレー、常閉型或いは常開型電磁バルブ等が適用されてもよく、或いは、電気磁石、電磁ロック、螺旋コイル或いはその他電磁始動効果がある駆動コイルを有する電磁始動器であり、また或いは駆動コイルによって駆動されるかまたは人力或いは機械力によって制御される多方式操作可能な電磁始動器であって、スイッチ装置の制御を通して、より低いインピーダンスの駆動タップ及び共通継手を有する駆動コイルに対して、励磁通電を起動し、電磁始動器により大きい電磁起動力を形成させ、起動後、更にスイッチ装置の制御を通して、より高いインピーダンスの保持タップ及び共通継手を有する駆動コイルに対して、励磁通電を保持するように切換え、駆動コイルの総電流を減少させ、電磁始動器は依然として通電始動後必要な作動特性を満足することによって、電気エネルギーが節約され、かつ電磁始動器の駆動コイルの熱損害は低減される。
【０００７】
ここで駆動タップ及び保持タップ付き駆動コイルを備える電磁始動器について、以下に説明する。
図１は、本発明の第１実施形態による電磁始動器を示す回路ブロック図であって、駆動タップ及び保持タップを有する駆動コイルを備えることによって、低いインピーダンスの励磁通電を起動し、かつ高いインピーダンスの励磁通電を保持する。その主な構成を以下に示す。
【０００８】
電源装置１００は、電源供給関連機能及び電圧電流制御機能の電機或いは電子コンポネント、或いはマイクロプロセッサ及び関連ソフトウェアによって構成される電源供給装置を含み、直流や交流電気エネルギーを入力し、スイッチ装置１０１の制御に合わせて、交流電気エネルギー或いは直流電気エネルギー或いは半波または全波または衝撃波等の直流電気エネルギーを出力する。
【０００９】
スイッチ装置１０１は、人力、機械力、流力、電気エネルギーで操作する電気機械スイッチ、リレー、電磁スイッチ、固相スイッチ装置によって構成され、人力、機械力、流力、電気エネルギーの駆動操作を制御することにより、駆動タップＴ１と保持タップＴ２と共通継手Ｔ０とを有する駆動コイル１０２’を備える電磁始動器１０２への交流或いは直流電気エネルギーの輸送を制御し、通電或いは断電のスイッチ機能を作動し、或いはスイッチ装置１０１の制御を通して、相対的により低いインピーダンス状態の駆動タップＴ１及び共通継手Ｔ０を有する駆動コイル１０２’に励磁通電電流Ｉａを通過させ、励磁通電を起動する。図２は、本発明の第１実施形態による電磁始動器の駆動タップ及び共通継手を有する駆動コイルに対して励磁通電起動する回路を示す模式図である。また通電起動後、更にスイッチ装置１０１の制御を通して、相対的により高いインピーダンス状態の保持タップＴ２及び共通継手Ｔ０を有する駆動コイル１０２’に励磁保持電流Ｉｂを通過させ、励磁通電を保持する。図３は、本発明の第１実施形態による電磁始動器の保持タップ及び共通継手を有する駆動コイルに対して励磁通電起動する回路を示す模式図である。これにより、駆動コイルの総電流が減少し、その電磁効果の作用力は依然として電磁始動器が通電始動後に必要な作動特性を確保し、電気エネルギーが節約され、電磁始動器の発熱を低減する。 
【００１０】
第１実施形態による電磁始動器は、そのスイッチ装置によって駆動タップＴ１と保持タップＴ２と共通継手Ｔ０とを有する駆動コイル１０２’を備える電磁始動器１０２を制御し、その駆動コイル１０２’を相対的により低いインピーダンス状態から励磁通電を起動し、より高いインピーダンス状態での励磁通電を保持するように切換え、その切換方式は以下のいずれかである。
【００１１】
１）人工でスイッチ装置１０１を順に操作することによって、駆動タップＴ１と保持タップＴ２と共通継手Ｔ０とを有する駆動コイル１０２’を備える電磁始動器１０２を制御し、その駆動コイル１０２’を相対的により低いインピーダンス状態から励磁通電を起動し、より高いインピーダンス状態での励磁通電を保持するように切換える。
２）スイッチ装置１０１によって時間遅延機能の制御を操作し、駆動タップＴ１と保持タップＴ２と共通継手Ｔ０を有する駆動コイル１０２’を備える電磁始動器１０２を制御し、その駆動コイル１０２’を相対的により低いインピーダンス状態から励磁通電を起動し、遅延時間を設定することによって、より高いインピーダンス状態での励磁通電を保持するように切換える。
【００１２】
３）駆動タップＴ１と共通継手Ｔ０とを有する駆動コイル１０２’を備える電磁始動器を通過する励磁通電の起動電流値の検査測定を通して、駆動タップＴ１と共通継手Ｔ０とを備える駆動コイル１０２’の励磁通電の起動電流値が設定電流値より大きいか或いは等しいとき、或いは設定電流値より大きいか或いは等しい状態が設定時間を超えたとき、スイッチ装置１０１が駆動され、駆動コイル１０２’をより高いインピーダンスの保持タップＴ２と共通継手Ｔ０との制御に切換え、励磁通電を保持する。
４）上述１）２）３）の中の二種類或いは二種類以上の方式によってスイッチ装置１０１の駆動を制御する。
【００１３】
電磁始動器１０２は、交流或いは直流電気エネルギーが供給される駆動コイル１０２’を備え、駆動タップＴ１と保持タップＴ２と共通継手Ｔ０とを有し、よく使われている常閉型或いは常開型電磁制動器、常閉型或いは常開型電磁クラッチ、常閉型或いは常開型電磁スイッチ、常閉型或いは常開型電磁リレー、常閉型或いは常開型電磁バルブ等の装置構造が適用されてもよく、或いは、、電気磁石、電磁ロック、螺旋コイルまたは、その他電磁始動効果がある駆動コイルを有する電磁始動器であり、また或いは、駆動コイルによって駆動されるかまたは人力或いは機械力によって制御される多方式操作可能な電磁始動器であって、スイッチ装置１０１によって、より低いインピーダンスの駆動タップＴ１及び共通継手Ｔ０を有する駆動コイル１０２’に対して、励磁通電を起動し、起動後、更にスイッチ装置１０１の制御を通して、より高いインピーダンスの保持タップＴ２及び共通継手Ｔ０を有する駆動コイル１０２’に対して、励磁通電を保持するように切換え、電気エネルギーを節約し、かつ発熱を減少させ、またその電磁効果の作用力は、依然として電磁始動器が通電始動後の必要な作動特性を確保する。
上述の駆動コイル１０２’は必要に応じて、同じ或いは異なる材料の導線の構成を選択し、かつ同じ或いは異なる導流断面積の導線によって構成され、かつ同じ或いは異なる巻数の巻線によって構成されることが可能である。
【００１４】
上述の駆動コイル１０２’の構成方式は下記を含む。
１）駆動コイル１０２’の両端はそれぞれ保持タップＴ２及び共用継手Ｔ０であり、また中間タップは駆動タップＴ１である。図４に、両端がそれぞれ保持タップ及び共用継手であり、また中間タップが駆動タップである駆動コイルを示す。
２）駆動コイル１０２’の両端はそれぞれ保持タップＴ２及び駆動タップＴ１であり、また中間タップは共用継手Ｔ０である。図５に、両端がそれぞれ保持タップ及び駆動タップであり、また中間タップが共用継手である駆動コイルを示す。
【００１５】
３）駆動コイル１０２’は個別の駆動コイル１０２１及び保持コイル１０２２によって構成され、その中の駆動コイル１０２１の両端はそれぞれ駆動タップＴ１及び共用継手Ｔ０であり、また保持コイル１０２２の両端はそれぞれ保持タップＴ２及び共通継手Ｔ０であって、その通電駆動方式は駆動コイル１０２１及び保持コイル１０２２の二者が分離して励磁通電を操作するか、或いはその共用継手Ｔ０を連結しまた駆動タップＴ１及び保持タップＴ２によって励磁通電を操作する。図６に、個別の駆動コイル及び保持コイルによって構成される駆動コイルを示す。
【００１６】
突入電流吸收装置１０３、１１３は、電磁始動器の規格によって、交流或いは直流の突入電流吸收装置の設置を選択することが可能で、駆動コイル１０２’に別々に並列接続することによって、スイッチ装置１０１において、駆動コイル１０２’を開閉させ、或いは相対的により低いインピーダンスの並列または直並列接続、或いは相対的により高いインピーダンスの直列または直並列接続に切換えるとき、駆動コイル１０２’に形成するインダクタの逆起電力の吸収に協力する。第１実施形態の突入電流吸収装置の構成は以下の通りである。１）駆動コイル１０２’の電気エネルギーが交流電気エネルギーであるとき、設置する交流突入電流吸収装置１０３は、例えば双極性固相バリスタ（ｖａｒｉｓｔｏｒ）によって構成され、或いはインピーダー、インダクタ、双極性コンデンサの中の少なくとも二種類のコンポネントを直列、並列、直並列に接続することによって構成され、或いは単独に双極性コンデンサによって構成され、或いはその他よく使われる交流突入電流吸収回路装置によって構成される。２）駆動コイル１０２’の電気エネルギーがより低い電圧の直流電気エネルギーであるとき、直流突入電流吸収装置１１３を配置し、例えば逆極性並列接続するダイオードによって、エネルギー貯蔵効果のフリーホイールダイオードを構成し、或いはインピーダー、インダクタ、単極性或いは双極性コンデンサの中の少なくとも二種類のコンポネントを直列、並列、直並列に接続することによって構成し、或いは単独に単極性或いは双極性コンデンサによって構成され、或いは固相バリスタ（ｖａｒｉｓｔｏｒ）によって構成され、或いはその他よく使われる直流突入電流吸収回路装置によって構成される。これらの装置は必要に応じて設置或いは非設置の選択が可能である。
【００１７】
（第２実施形態）
本発明の第２実施形態による電磁始動器は、その電磁始動器１０２に駆動コイル１０２’を設置し、駆動コイル１０２’には駆動タップＴ１、保持タップＴ２及び共通継手Ｔ０を備える。オンにするときは、駆動コイル１０２’は相対的により低いインピーダンス状態から励磁通電を起動し、より高いインピーダンス状態での励磁通電を保持するように切換える。図７に、本発明の第２実施形態による電磁始動器に位置検知位置を設置することにより駆動コイルを制御する回路ブロック図を示す。電磁始動器１０２の移動体と静止体が相対的に始動後の安定位置或いは始動過程中の選定位置に位置検知装置１０５を設置し、電磁始動器において、より低いインピーダンス状態から励磁通電を起動し、また移動体が選定位置まで駆動されてから、位置検知装置１０５によって、上述の電磁始動器１０２に設置する駆動コイル１０２’を直接切換え、相対的により低いインピーダンス状態から励磁通電を起動し、より高いインピーダンス状態での励磁通電を保持するように切換えるか、或いは位置検知装置１０５を通して、スイッチ装置１０１を制御し、更にスイッチ装置１０１によって駆動コイル１０２’を制御し、相対的により低いインピーダンス状態から励磁通電を起動し、より高いインピーダンス状態での励磁通電を保持するように切換える。
第２実施形態の位置検知装置１０５は圧力タッチ式電気機械スイッチ装置、或いは加圧リード起動式スイッチによって構成され、或いは光学式、電磁感応式、キャパシティブセンサーまたはその他よく使われる位置感知装置によって構成されることが可能である。第２実施形態の装置は必要に応じて設置或いは非設置の選択が可能である。
【００１８】
（第３実施形態）
本発明の第３実施形態による電磁始動器は、その電磁始動器１０２に駆動コイル１０２’を設置し、駆動コイル１０２’には駆動タップＴ１と保持タップＴ２と共通継手Ｔ０とを備える。オンにするときは、駆動コイル１０２’は相対的により低いインピーダンス状態から励磁通電を起動し、より高いインピーダンス状態での励磁通電を保持するように切換える。図８に、本発明の第３実施形態による電磁始動器を直流駆動電気エネルギーへ応用し、保持タップＴ２と駆動タップＴ１との間に充放電キャパシタＣ１を並列接続し、切換えの遅延及び断電を遅延させる応用例を示す回路ブロック図を示す。
【００１９】
その主な構成を以下に示す。
電源装置１００は、電源供給関連機能及び電圧電流制御機能の電機或いは電子コンポネント、或いはマイクロプロセッサ及び関連ソフトウェアによって構成される電源供給装置を含み、直流或いは交流電気エネルギーを入力し、また直流電気エネルギー或いは半波または全波または衝撃波の直流電気エネルギーを出力する。
【００２０】
スイッチ装置１０１は、人力、機械力、流力、電気エネルギーで操作する電気機械スイッチ、リレー、電磁スイッチ、固相スイッチ装置によって構成され、人力、機械力、流力、電気エネルギーの駆動操作を制御することにより、直流電気エネルギーが電磁始動器１０２に設置する駆動タップＴ１と保持タップＴ２と共通継手Ｔ０とを有する駆動コイル１０２’への輸送を制御し、通電或いは断電のスイッチ機能を作動する。
【００２１】
充放電キャパシタＣ１は、各種類の充電可能な直流電気エネルギー及び直流電気エネルギーを放電出力するキャパシタによって構成される。同極性電源と電磁始動器１０２に並列接続してから、駆動コイル１０２’の保持タップＴ２と駆動タップＴ１との間に設置し、充放電キャパシタＣ１は必要に応じて独立設置、或いは電磁始動器１０２と共同設置し、或いはスイッチ装置１０１の内部に設置することを選択することができる。
【００２２】
電磁始動器１０２は、駆動タップＴ１と保持タップＴ２と共通継手Ｔ０とを有する駆動コイル１０２’を設置し、よく使われる常閉型或いは常開型電磁制動器、常閉型或いは常開型電磁クラッチ、常閉型或いは常開型電磁スイッチ、常閉型或いは常開型電磁リレー、常閉型或いは常開型電磁バルブ等が適用されてもよく、或いは、電気磁石、電磁ロック、螺旋コイルまたは、その他電磁始動効果がある駆動コイルを有する電磁始動器であり、或いは駆動コイルによって駆動されるかまたは人力或いは機械力によって制御される多方式操作可能な電磁始動器であって、スイッチ装置１０１を通して、電源装置１００からの直流電気エネルギーを制御し、電磁始動器１０２に設置する駆動コイル１０２’の保持タップＴ２及び共通継手Ｔ０へ送電し、送電する瞬間に、直流電気エネルギーが保持タップＴ２及び駆動タップＴ１に並列接続する充放電キャパシタＣ１に対してバイパス分流の瞬間充電を行い、また共通継手Ｔ０及び駆動タップＴ１に流れる瞬間電流を最大値にし、励磁を起動し、充放電キャパシタＣ１の充電電圧を上昇され、徐々に保持タップＴ２と駆動タップＴ１との間の電圧降下が接近またバランスになったとき、直流電気エネルギーが保持タップＴ２と駆動タップＴ１と共通継手Ｔ０とに流れるように転換し、このときの駆動コイル１０２’はより高いインピーダンス状態でより小電流の励磁通電を保持するように転換する。スイッチ装置１０１が断電したとき、充放電キャパシタＣ１の電気エネルギーが保持タップＴ２及び駆動タップＴ１に対して励磁、放電し、電磁始動器１０２のリセット（ｒｅｓｅｔ）時間を遅延（ｄｅｌａｙ）させる。
【００２３】
上述をまとめると、本発明の実施形態による駆動タップＴ１と保持タップＴ２と共通継手Ｔ０を有する駆動コイル１０２’を備える電磁始動器は、電磁始動器１０２に設置する駆動コイル１０２’を制御し、相対的により低いインピーダンス状態から励磁通電を起動する励磁状態にさせ、より大きい起動力を獲得し、及び、共鳴特性を起動させてから、更にスイッチ装置１０１の制御を通して、駆動コイル１０２’をより高いインピーダンス状態での励磁通電を保持するように切換え、駆動コイル１０２’の総電流を減少させ、その電磁効果の作用力は、依然として電磁始動器１０２が通電始動後の必要な作動特性を満足する以外に、電気エネルギーも節約し、かつ電磁始動器１０２の駆動コイルの発熱も低減する。
【符号の説明】
【００２４】
１０１：スイッチ装置、１０２：電磁始動器、１０３、１１３：突入電流吸收装置、１０５：位置検知装置、１０２’：駆動コイル、１０２１：駆動コイル、１０２２：保持コイル、Ｃ１：充放電キャパシタ、Ｉａ：励磁通電電流、Ｉｂ：励磁保持電流、Ｔ０：共通継手、Ｔ１：駆動タップ、Ｔ２：保持タップ
【図１】
2011014388.tif 000003
【図２】
2011014388.tif 000004
【図３】
2011014388.tif 000005
【図４】
2011014388.tif 000006
【図５】
2011014388.tif 000007
【図６】
2011014388.tif 000008
【図７】
2011014388.tif 000009
【図８】
2011014388.tif 000010